(57)【特許請求の範囲】
【請求項１】
一方の面が開口されたケース本体と、
前記ケース本体の開口部を覆う蓋と、
前記ケース本体の両側端部近傍の開口端側より側方に突出して設けられる本体側取付け基部と、
前記各本体側取付け基部に形成されるねじ孔と、
前記蓋の開口端側の両側に前記本体側取付け基部に対応して設けられる蓋側取付け基部と、
前記各蓋側取付け基部に形成されるボルト孔と、
前記ケース本体の両側面に前記各本体側取付け基部より内側に設けられる同一形状のヒンジ軸受部と、
前記蓋の開口端側の一側に前記蓋側取付け基部より内側に位置させて設けられ、前記ヒンジ軸受部の軸受孔に挿入されるヒンジ軸部と、
前記ヒンジ軸部の先端に係止部を形成し、ケース本体に対して蓋を所定角度開いた状態で前記ヒンジ軸部とヒンジ軸受部との着脱を可能とし、前記所定角度以外では前記係止部がヒンジ軸受部に係止されてヒンジ軸部とヒンジ軸受部との着脱を阻止する機構と
を具備したことを特徴とする通信機器筐体。
【請求項２】
一方の面が開口されたケース本体と、
前記ケース本体の開口部を覆う蓋と、
前記ケース本体の両側端部近傍の開口端側より側方に突出して設けられる本体側取付け基部と、
前記各本体側取付け基部に形成されるねじ孔と、
前記ケース本体の両側面の中央部に設けられる吊り部品装着用基台と、
前記吊り部品装着用基台に形成される吊り部品用ねじ孔と、
前記蓋の開口端側の両側に前記本体側取付け基部に対応して設けられる蓋側取付け基部と、
前記各蓋側取付け基部に形成されるボルト孔と、
前記ケース本体の両側面に前記各本体側取付け基部より内側に設けられる同一形状のヒンジ軸受部と、
前記蓋の開口端側の一側に前記蓋側取付け基部より内側に位置させて設けられ、前記ヒンジ軸受部の軸受孔に挿入されるヒンジ軸部と、
前記ヒンジ軸部の先端に係止部を形成し、ケース本体に対して蓋を所定角度開いた状態で前記ヒンジ軸部とヒンジ軸受部との着脱を可能とし、前記所定角度以外では前記係止部がヒンジ軸受部に係止されてヒンジ軸部とヒンジ軸受部との着脱を阻止する機構と
を具備したことを特徴とする通信機器筐体。
【請求項３】
請求項２記載の通信機器筐体において、
蓋のヒンジ軸部を軸支しているヒンジ軸受部側の吊り部品装着用基台のねじ孔に装着されるボルトと、
前記蓋の側部に該蓋を開いたときに前記ボルトの頭部に当接するように形成してなる係止部とを具備し、
前記蓋を開いたときの角度を蓋の着脱可能な角度より小さい角度内に保持するように構成したことを特徴とする通信機器筐体。
【請求項４】
請求項１又は２記載の通信機器筐体において、
前記ケース本体の開口端周縁に沿って形成され、気密保持用のパッキンが装着されるパッキン用溝と、
前記蓋の開口端周縁に沿って形成される電磁遮蔽用シールド線が装着されるシールド線用溝と
を具備したことを特徴とする通信機器筐体。
【請求項５】
請求項４記載の通信機器筐体において、
前記パッキン用溝及びシールド線用溝の外周部に段差を形成すると共に、該段差形成部分の角部を円弧状に形成したことを特徴とする通信機器筐体。
【請求項６】
請求項４記載の通信機器筐体において、ヒンジ軸受部の軸受孔を長円形状に形成して該軸受孔内で前記ヒンジ軸部が移動できるようにし、パッキンとシールド線が締付けにより潰れたときの寸法と、潰れる前の寸法の変化を吸収するように構成したことを特徴とする通信機器筐体。
【発明の詳細な説明】
【０００１】
【発明の属する技術分野】
本発明は、例えば中継用増幅器等の通信機器を収納する通信機器筐体に関する。
【０００２】
【従来の技術】
従来の通信機器筐体は、図１０、図１１に示すように構成されている。図１０（ａ）は従来の通信機器筐体の正面図、同図（ｂ）は底面図、図１１（ａ）は同側面図、同図（ｂ）は蓋を開いた状態を示す側面図である。
【０００３】
図１０及び図１１において、１は箱状のケース本体、２はケース本体１の開口部を覆う蓋である。上記ケース本体１には、開口部側の上側及び下側に２個づつ、合計４個のヒンジシャフト用軸受部３が設けられ、このヒンジシャフト用軸受部３にヒンジシャフト４が装着される。このヒンジシャフト４には、それぞれボルト５が螺入される。
【０００４】
一方、蓋２には、上記各ヒンジシャフト用軸受部３に対応する位置に取付け用基部６が側方に突出して設けられ、この取付け用基部６にボルト５を挿通するためのボルト孔７が設けられる。この場合、上側あるいは下側の取付け用基部６、この例では上側に位置する取付け用基部６にボルト孔７に達する切込み部８を設け、上記ボルト５がボルト孔７に対して切込み部８から挿抜できるようにしている。
【０００５】
また、上記ケース本体１の上部には、吊り部品９がボルト１０により取り付けられている。この吊り部品９は、通信機器筐体をメッセンジャーワイヤー等に吊るための部品である。
【０００６】
上記の構成において、ケース本体１に蓋２を最初に装着する場合は、ケース本体１の開口部に蓋２を位置させ、蓋２の４個所に設けた取付け用基部６にボルト孔７を介してボルト５を挿入し、ヒンジシャフト４に螺入する。そして、ボルト５を締め付けることにより、蓋２をケース本体１に固定する。
【０００７】
また、蓋２を開ける場合は、取付け用基部６に装着した４本のボルト５を緩め、図１１（ａ）に示すように蓋２の上側に位置するボルト５の頭部をヒンジシャフト４によって上方に回動させる。このときボルト５は、切込み部８を介して上方に回動し、ボルト孔７から上方に外すことができる。一方、蓋２の下部の取付け用基部６に取り付けられたボルト５は、ヒンジシャフト４と結合した状態にあるので、図１１（ｂ）に示すように蓋２の上側を開くと、蓋２は下側に位置するヒンジシャフト４を軸として回動する。上記のように蓋２の下側をボルト５及びヒンジシャフト４によりケース本体１に結合した状態で蓋２を開くことができる。
【０００８】
また、上記通信機器筐体は、ケース本体１の４個所に設けた軸受部を同一形状としているので、蓋２の上下を反転、すなわち、蓋２を同一面で１８０°回転させた場合の組立ても可能である。すなわち、通信機器筐体を設置する場所の条件等によって、通信機器筐体を任意の状態に取り付けることが可能となっている。
【０００９】
【発明が解決しようとする課題】
しかし、上記従来の通信機器筐体は、ケース本体１と蓋２とを固定するボルト５の他にヒンジシャフト４が必要であり、特にヒンジシャフト４は円筒状部品の側面にボルト５と結合する雌ねじを形成しているので、加工が難しくコスト高となっている。
また、ケース本体１と蓋２との結合部において、水平方向にずれ防止機構がないため、ボルト締付け作業時にボルト孔７の遊び分ケース本体１と蓋２がスライドし、心象的な不安が発生する。
【００１０】
本発明は上記の課題を解決するためになされたもので、ヒンジシャフト部品を削減してコストの低下を図り得ると共に、ケース本体と蓋とをボルトにより締め付ける際のずれを防止でき、かつ蓋を反転する際の作業効率を向上し得る通信機器筐体を提供することを目的とする。
【００１１】
【課題を解決するための手段】
（第１の発明）
本発明に係る通信機器筐体は、一方の面が開口されたケース本体と、前記ケース本体の開口部を覆う蓋と、前記ケース本体の両側端部近傍の開口端側より側方に突出して設けられる本体側取付け基部と、前記各本体側取付け基部に形成されるねじ孔と、前記蓋の開口端側の両側に前記本体側取付け基部に対応して設けられる蓋側取付け基部と、前記各蓋側取付け基部に形成されるボルト孔と、前記ケース本体の両側面に前記各本体側取付け基部より内側に設けられる同一形状のヒンジ軸受部と、前記蓋の開口端側の一側に前記蓋側取付け基部より内側に位置させて設けられ、前記ヒンジ軸受部の軸受孔に挿入されるヒンジ軸部と、前記ヒンジ軸部の先端に係止部を形成し、ケース本体に対して蓋を所定角度開いた状態で前記ヒンジ軸部とヒンジ軸受部との着脱を可能とし、前記所定角度以外では前記係止部がヒンジ軸受部に係止されてヒンジ軸部とヒンジ軸受部との着脱を阻止する機構とを具備したことを特徴とする。
【００１２】
（第２の発明）
本発明に係る通信機器筐体は、一方の面が開口されたケース本体と、前記ケース本体の開口部を覆う蓋と、前記ケース本体の両側端部近傍の開口端側より側方に突出して設けられる本体側取付け基部と、前記各本体側取付け基部に形成されるねじ孔と、前記ケース本体の両側面の中央部に設けられる吊り部品装着用基台と、前記吊り部品装着用基台に形成される吊り部品用ねじ孔と、前記蓋の開口端側の両側に前記本体側取付け基部に対応して設けられる蓋側取付け基部と、前記各蓋側取付け基部に形成されるボルト孔と、前記ケース本体の両側面に前記各本体側取付け基部より内側に設けられる同一形状のヒンジ軸受部と、前記蓋の開口端側の一側に前記蓋側取付け基部より内側に位置させて設けられ、前記ヒンジ軸受部の軸受孔に挿入されるヒンジ軸部と、前記ヒンジ軸部の先端に係止部を形成し、ケース本体に対して蓋を所定角度開いた状態で前記ヒンジ軸部とヒンジ軸受部との着脱を可能とし、前記所定角度以外では前記係止部がヒンジ軸受部に係止されてヒンジ軸部とヒンジ軸受部との着脱を阻止する機構とを具備したことを特徴とする。
【００１３】
（第３の発明）
本発明は、第２の発明に係る通信機器筐体において、蓋のヒンジ軸部を軸支しているヒンジ軸受部側の吊り部品装着用基台のねじ孔に装着されるボルトと、前記蓋の側部に該蓋を開いたときに前記ボルトの頭部に当接するように形成してなる係止部とを具備し、前記蓋を開いたときの角度を蓋の着脱可能な角度より小さい角度内に保持するように構成したことを特徴とする。
【００１４】
（第４の発明）
本発明は、第１又は第２の発明に係る通信機器筐体において、前記ケース本体の開口端周縁に沿って形成され、気密保持用のパッキンが装着されるパッキン用溝と、前記蓋の開口端周縁に沿って形成される電磁遮蔽用シールド線が装着されるシールド線用溝とを具備したことを特徴とする。
【００１５】
（第５の発明）
本発明は、第４の発明に係る通信機器筐体において、前記パッキン用溝及びシールド線用溝の外周部に段差を形成すると共に、該段差形成部分の角部を円弧状に形成したことを特徴とする。
【００１６】
（第６の発明）
本発明は、第４の発明に係る通信機器筐体において、ヒンジ軸受部の軸受孔を長円形状に形成して該軸受孔内で前記ヒンジ軸部が移動できるようにし、パッキンとシールド線が締付けにより潰れたときの寸法と、潰れる前の寸法の変化を吸収するように構成したことを特徴とする。
【００１７】
【発明の実施の形態】
以下、図面を参照して本発明の一実施形態を説明する。
図１は本発明の一実施形態に係る通信機器筐体の分解斜視図、図２はケース本体と蓋との結合部を拡大して示す図、図３は本体と蓋を１８０°開いた状態を示す斜視図、図４は図３の要部を拡大して示す斜視図、図５は蓋を１８０°より小さい角度開いた状態を示す斜視図である。
【００１８】
図１において、２１は箱状のケース本体、２２はケース本体２１の開口部を覆う蓋である。上記ケース本体２１及び蓋２２は、それぞれ例えばアルミダイキャストにより一体成型される。上記ケース本体２１には、開口部側の上側及び下側の端部近傍に２個づつ、合計４個のケース本体側取付け基部２３を突出して設けている。上記各ケース本体側取付け基部２３の中央部には、取付け用ボルト（図示せず）に螺合するねじ孔２４が設けられる。
【００１９】
一方、蓋２２においても、実際に設置した際の上側及び下側の開口部側で上記ケース本体側取付け基部２３と対応する位置に蓋側取付け基部２５が設けられ、その中央にボルト孔２６が形成される。また、蓋２２には、ケース本体２１と結合する側において、蓋側取付け基部２５より内側に図２に示すように円柱状の２つのヒンジ軸部２７が突出し設けられる。更に、このヒンジ軸部２７の先端には、係止部（ツメ）２８が形成される。この係止部２８は、蓋２２の開口部方向と同方向が更に突出して設けられる。すなわち、係止部２８は、蓋２２の開口部方向と同方向がヒンジ軸部２７の径よりも突出し、その他はヒンジ軸部２７と同径に形成される。
【００２０】
また、図１に示すようにケース本体２１には、実際に設置した際に上側及び下側となる側面の中央部に吊り部品を装着するための吊り部品装着用基台３１が設けられ、その中心に吊り部品用ねじ孔３２が形成される。そして、上側に位置する吊り部品装着用基台３１に対して吊り部品（図示せず）がボルトにより固定される。
【００２１】
また、上記ケース本体２１には、各ケース本体側取付け基部２３と吊り部品装着用基台３１との間において、上記ヒンジ軸部２７に対応する位置にヒンジ軸受部３３が設けられる。このヒンジ軸受部３３は、蓋２２に設けられたヒンジ軸部２７と回転可能に結合する。上記ヒンジ軸受部３３は、第１軸受部３４と第２軸受部３５からなり、その中心部に軸受孔３６が形成される。上記第１軸受部３４は、図３に示すように軸受孔３６の下方側が開口し、第２軸受部３５は図２に示すように軸受孔３６の上方側が開口すると共に第１軸受部３４側が所定幅、すなわち、ヒンジ軸部２７の係止部２８の厚さ以上の幅だけ下方側が開口しており、第１軸受部３４と第２軸受部３５を総合して所定の軸受孔３６が形成されるようにしている。この場合、軸受孔３６は、後述するパッキンの脹らみを考慮してケース本体２１の開口方向と同方向に長円となるように形成される。
【００２２】
そして、図１に示すようにケース本体２１に対して蓋２２を１８０°開いた状態で、蓋２２のヒンジ軸部２７をケース本体２１のヒンジ軸受部３３に第１軸受部３４側から挿入し、係止部２８が第２軸受部３５に当接、あるいはその近傍でヒンジ軸部２７を上方に持ち上げて第２軸受部３５の軸受孔３６に挿入して係止部２８を第２軸受部３５から突出させる。この状態となったときに図５に示すように蓋２２を開閉できるようになる。この状態から蓋２２を閉じると、つまり、ケース本体２１と蓋２２との角度が１８０°より小さくなると、図５に示すようにヒンジ軸部２７の係止部２８が第２軸受部３５の側面に当接して蓋２２の取り外しができないようになる。従って、図４に示すように蓋２２を１８０°開いたときのみ、矢印ａで示すように蓋２２の着脱が可能となる。
【００２３】
上記したようにケース本体２１に蓋２２を装着した後は、図６に示すように結合側の吊り部品装着用基台３１にボルト３７を装着する。一方、蓋２２には、蓋２２を開いたときにボルト３７の頭部に当接するように係止部３８を予め形成している。すなわち、蓋２２を開いたときに上記係止部３８がボルト３７に当接することにより、蓋２２が１８０°まで開かないようにしている。上記のようにケース本体２１に蓋２２を装着した後、結合側の吊り部品装着用基台３１にボルト３７を装着することにより、その後は蓋２２を１８０°まで開くことができず、ケース本体２１から外すことが不可能となる。従って、保守点検等の際に蓋２２を開いて作業しても、蓋２２が外れるのを防止することができる。
【００２４】
また、図１、図７及び図８に示すようにケース本体２１の開口端には、前端周縁に沿ってパッキン用溝４１が形成される。この場合、パッキン用溝４１の内周壁４２を外周壁４３より高く形成し、段差を設けている。また、上記内周壁４２の四隅は、図１及び図９に示すように円弧状に形成している。
一方、蓋２２の開口端となるエッジ４４には、周縁に沿ってシールド線用溝４５が形成される。このシールド線用溝４５は、ケース本体２１側の内周壁４２に対応する位置に設けられる。上記エッジ４４のシールド線用溝４５より外周側に位置する面は、ケース本体２１のパッキン用溝４１及び外周壁４３に対向するように設けられる。また、エッジ４４は、ケース本体２１のパッキン用溝４１が形成された部分の段差に合わせて形成されると共に、四隅の内側がパッキン用溝４１の内周壁４２の形状に合わせて円弧状に形成される。すなわち、上記パッキン用溝４１及びシールド線用溝４５の形成部分に段差を形成することにより、蓋２２を閉じたときにケース本体２１と蓋２２の位置関係を規制し、ずれが生じるのを防止している。また、ケース本体２１に設けられた内周壁４２の四隅及びこの内周壁４２の四隅に対応する蓋２２のエッジ４４部分を円弧状に形成することにより、ケース本体２１と蓋２２に段差があっても蓋２２を円滑に開閉できるようにしている。
【００２５】
そして、図７及び図８に示すように、パッキン用溝４１には気密性を保つためのパッキン４６が装着され、シールド線用溝４５には電磁遮蔽用のシールド線４７が装着される。図８（ａ）は蓋２２をボルトにより固定する前の状態を示し、同図（ｂ）は蓋２２をボルトによりケース本体２１に固定した状態を示している。ヒンジ軸受部３３の軸受孔３６は、上記したように長円形状に形成されているので、図８（ａ）に示すように蓋２２を固定する前の状態では、パッキン４６によって蓋２２が持ち上げられ、ヒンジ軸部２７が軸受孔３６内の上方側に位置している。そして、蓋２２とケース本体２１とを蓋側取付け基部２５及び本体側取付け基部２３の部分でボルトにより固定すると、図８（ｂ）に示すようにパッキン４６及びシールド線４７が潰れて蓋２２がケース本体２１に当接し、ヒンジ軸部２７が軸受孔３６内の下方側に位置する。
上記のように軸受孔３６を長円形状に形成することにより、蓋２２の開閉を円滑に行なうことができる。
【００２６】
そして、蓋２２をケース本体２１に固定する場合は、蓋２２の４個所に設けた蓋側取付け基部２５のボルト孔２６にボルト（図示せず）を挿入し、本体側取付け基部２３のねじ孔２４に螺入し、ボルトを締め付けて固定する。
【００２７】
また、設置場所の条件等によって蓋２２を反転して取付ける場合には、蓋２２に設けたヒンジ軸部２７を反対側に位置するヒンジ軸受部３３に装着する。ケース本体２１の４個所に設けたヒンジ軸受部３３は、全て同じ構成となっているので、何れの側でも同じ手順で容易に取り付けることができる。
【００２８】
なお、上記実施形態では、蓋２２を１８０°に開いたときに着脱できるようにした場合について示したが、その他の角度に設定したときに蓋２２を着脱できるように構成しても良いことは勿論である。
【００２９】
【発明の効果】
以上詳記したように本発明によれば、ケース本体側にヒンジ軸受部を、また、蓋側にヒンジ軸部をそれぞれ一体成型し、ケース本体と蓋をある角度例えば１８０°に開いた状態において蓋を着脱できるようにしたので、ヒンジシャフト部品を使用することなく、簡単な構成で蓋を容易に着脱することができ、かつコストの低下を図ることができる。また、ケース本体には、対応する２つの側部にヒンジ軸部を設けているので、何れの側にも蓋を任意に取り付けることができる。
【００３０】
また、ケース本体における結合側、つまり通常は使用しない側の吊り部品装着用基台のねじ孔にボルトを装着すると共に蓋側にボルトに当接するように係止部を設け、蓋を着脱可能な角度例えば１８０°まで開くことができないようにしたので、蓋を開いて作業を行なっている場合でも、蓋の脱落を確実に防止することができる。
【００３１】
また、ケース本体側にパッキン用溝を設けると共に蓋にシールド線用溝を設け、各溝の外周部に段差が形成されるようにしたので、本体と蓋のずれを確実に防止することができる。更に、上記各溝の段差形成部分の四隅の角部を円弧状に形成したので、段差があっても蓋を円滑に開閉することができる。
【００３２】
また、ヒンジ軸受部の軸受孔を長円形状に形成し、パッキンとシールド線が締付けにより潰れたときの寸法と、潰れる前の寸法を変化を吸収するようにしたので、蓋の開閉を円滑に行なうことができる。
【図面の簡単な説明】
【図１】本発明の一実施形態に係る通信機器筐体の分解斜視図。
【図２】同実施形態におけるケース本体と蓋との結合部を拡大して示す図。
【図３】同実施形態における本体と蓋を１８０°開いた状態を示す斜視図。
【図４】図３の要部を拡大して示す斜視図。
【図５】同実施形態における蓋を１８０°より小さい角度開いた状態を示す斜視図。
【図６】同実施形態における吊り部品装着用基台にボルトを装着した状態を示す要部斜視図。
【図７】同実施形態における通信機器筐体の断面図。
【図８】同実施形態におけるパッキンを潰していないときと、潰したときのヒンジ軸部の位置の変化を示す図。
【図９】同実施形態における蓋を所定角度開いたときの状態を示す斜視図。
【図１０】（ａ）は従来の通信機器筐体の正面図、（ｂ）は底面図。
【図１１】（ａ）は図１０（ａ）の側面図、（ｂ）は蓋を開いた状態を示す側面図。
【符号の説明】
２１  ケース本体
２２  蓋
２３  本体側取付け基部
２４  ねじ孔
２５  蓋側取付け基部
２６  ボルト孔
２７  ヒンジ軸部
２８  係止部
３１  吊り部品装着用基台
３２  吊り部品用ねじ孔
３３  ヒンジ軸受部
３４  第１軸受部
３５  第２軸受部
３６  軸受孔
３７  ボルト
３８  係止部
４１  パッキン用溝
４２  内周壁
４３  外周壁
４４  エッジ
４５  シールド線用溝
４６  パッキン
４７  シールド線
【図１】
0003629608.tif 000002
【図２】
0003629608.tif 000003
【図３】
0003629608.tif 000004
【図４】
0003629608.tif 000005
【図５】
0003629608.tif 000006
【図６】
0003629608.tif 000007
【図７】
0003629608.tif 000008
【図８】
0003629608.tif 000009
【図９】
0003629608.tif 000010
【図１０】
0003629608.tif 000011
【図１１】
0003629608.tif 000012